(57)【要約】【課題】広い範囲の観察者に立体視観察させることが可能なＬＥＤディスプレイ装置および立体視用眼鏡を提供する。【解決手段】ＬＥＤディスプレイ装置は、ＬＥＤの駆動電流を第１の電流から第２の電流に変えることで波長シフトさせて、右目用の画像と左目用の画像とを異なる発光波長により表示する。立体視用眼鏡は、波長シフトする前の第１の波長または波長シフトさせた後の第２の波長のいずれかを透過するフィルタを右目用または左目用の調光部材としている。【選択図】図６
2012145725.tif 000002
【特許請求の範囲】
【請求項１】
ドットマトリクス状にＬＥＤが配置されたＬＥＤパネル部と、
前記ＬＥＤパネル部に表示される右目用の表示データと左目用の表示データの各フレームを示すタイミング信号に基づいて、前記ＬＥＤパネル部を点灯させるための電流値を、右目用の第１の電流値データおよび左目用の第２の電流値データとして出力する電流値指示部と、
前記電流値指示部からの右目用の第１の電流値データに基づいた電流値で前記ＬＥＤパネル部のＬＥＤを点灯して第１の波長をピーク波長とする右目用の表示データの画像を表示すると共に、左目用の第２の電流値データに基づいた電流値で前記ＬＥＤパネル部のＬＥＤを点灯して第２の波長をピーク波長とした左目用の表示データの画像を表示するＬＥＤ駆動部とを備えたことを特徴とするＬＥＤディスプレイ装置。
【請求項２】
前記ＬＥＤパネル部は、赤色、緑色、青色の三色のＬＥＤを一組として、ドットマトリクス状に配置されたものであり、
前記電流値指示部は、前記三色のＬＥＤのそれぞれの駆動電流に基づいて、右目用の第１の電流値データと、左目用の第２の電流値データを前記ＬＥＤ駆動部へ出力する請求項１記載のＬＥＤディスプレイ装置。
【請求項３】
前記ＬＥＤ駆動部は、右目用の第１の電流値データと、左目用の第２の電流値データとのうちいずれか高い方を駆動するときに、低い方の発光強度に合わせて表示データを表示させる点灯率を低減させて、前記ＬＥＤパネル部のＬＥＤを点灯させる請求項１または２記載のＬＥＤディスプレイ装置。
【請求項４】
ピーク波長が第１の波長となる右目用のＬＥＤと、ピーク波長が第２の波長となる左目用のＬＥＤとが、ドットマトリクス状に配置されたＬＥＤパネル部と、
前記ＬＥＤパネル部に表示される右目用の表示データと左目用の表示データの各フレームを示すタイミング信号に基づいて、右目用または左目用のいずれかのＬＥＤの点灯を指示する点灯指示部と、
前記点灯指示部からの指示に基づいて右目用のＬＥＤを点灯させたり、左目用のＬＥＤを点灯させたりするＬＥＤ駆動部とを備えたことを特徴とするＬＥＤディスプレイ装置。
【請求項５】
前記ＬＥＤパネル部は、右目用の赤色、緑色、青色の三色のＬＥＤと、左目用の赤色、緑色、青色の三色のＬＥＤとを一組として、ドットマトリクス状に配置されたものであり、
前記点灯指示部は、右目用または左目用の三色のＬＥＤを駆動する指示を交互に前記ＬＥＤ駆動部へ出力する請求項４記載のＬＥＤディスプレイ装置。
【請求項６】
赤色、緑色および青色のＬＥＤのうちの１色のＬＥＤが、ピーク波長が第１の波長となる右目用の第１のＬＥＤと、ピーク波長が第２の波長となる左目用の第２のＬＥＤとにより構成され、残りの２色のＬＥＤが、第１の電流値で駆動されることでピーク波長が第１の波長となり、第２の電流値で駆動されることでピーク波長が第２の波長となる第３および４のＬＥＤにより構成されたＬＥＤパネル部と、
前記ＬＥＤパネル部に表示される右目用の表示データと左目用の表示データの各フレームを示すタイミング信号に基づいて、前記第１のＬＥＤまたは左目用のいずれかのＬＥＤの点灯を指示する点灯指示部と、
前記点灯指示部からの指示に基づいて右目用の第１のＬＥＤを点灯させたり、左目用の第２のＬＥＤを点灯させたりする第１のＬＥＤ駆動部と、
前記タイミング信号に基づいて、前記ＬＥＤパネル部を点灯させるための電流値を、右目用の第１の電流値データおよび左目用の第２の電流値データとして出力する電流値指示部と、
前記電流値指示部からの右目用の第１の電流値データに基づいた電流値で前記第３および第４のＬＥＤを点灯させて第１の波長をピーク波長とする右目用の表示データの画像を表示すると共に、左目用の第２の電流値データに基づいた電流値で前記第３および第４のＬＥＤを点灯させて第２の波長をピーク波長とした左目用の表示データの画像を表示する第２のＬＥＤ駆動部とを備えたことを特徴とするＬＥＤディスプレイ装置。
【請求項７】
ＬＥＤディスプレイ装置に設けられたＬＥＤパネル部のドットマトリクス状に配置されたＬＥＤに表示される画像を観察するために、右目用および左目用の調光部材を備えた立体視用眼鏡であって、
前記ＬＥＤからの第１の波長をピーク波長とする画像を透過する第１のフィルタを一方の調光部材とし、前記第１の波長から波長シフトした第２の波長をピーク波長とする画像を透過する第２のフィルタを他方の調光部材としたことを特徴とする立体視用眼鏡。
【請求項８】
前記第１のフィルタは、前記ＬＥＤパネル部に設けられた赤色、緑色および青色の三色のＬＥＤからのそれぞれの第１の波長を透過する赤色用フィルタ、緑色用フィルタおよび青色用フィルタを備え、
前記第２のフィルタは、前記赤色、緑色および青色の三色のＬＥＤからのそれぞれの第２の波長を透過する赤色用フィルタ、緑色用フィルタおよび青色用フィルタを備えたものである請求項７記載の立体視用眼鏡。
【発明の詳細な説明】
【技術分野】
【０００１】
本発明は、ＬＥＤがドットマトリクス状に配置され、右目用の画像と左目用の画像とを交互に表示するＬＥＤディスプレイ装置と、この映像を右目用の調光部材と左目用の調光部材を通して観察することで立体視できる立体視用眼鏡とに関するものである。
【背景技術】
【０００２】
右目用の画像と左目用の画像とを表示し、その映像を眼鏡を通して観察することで、映像が立体視できる映像表示装置が提案されている。
【０００３】
例えば、特許文献１に記載の映像表示装置は、位相差機能を有する右目用映像表示部と位相差機能を有しない左目用映像表示部とが混在した３Ｄ映像表示部からの映像を、観察者が、右目用映像表示部からの右目用映像を透過し、左目用映像表示部からの左目用映像を遮断する偏光板付右目用レンズと、左目用映像表示部からの左目用映像を透過し右目用映像表示部からの右目用映像を遮断する偏光板付左目用レンズで構成された、偏光眼鏡を付けて観察することで、立体視できるようにしたものである。
【０００４】
また、特許文献２に記載の液晶表示装置は、右目用の画像と左目用の画像を切り替え表示するアクティブマトリクス方式の液晶表示器と、この表示器の画像書替え周期と同期して、光シャッターの光透過状態／光非透過状態を電気的に切り替える部品を右目用と左目用に配置した光シャッター眼鏡とを備えたものである。
【先行技術文献】
【特許文献】
【０００５】
【特許文献１】特開２００２−３１１３８５号公報
【特許文献１】特開２０１０−１１７４３７号公報
【発明の概要】
【発明が解決しようとする課題】
【０００６】
しかし、特許文献１に記載の映像表示装置では、観察者が装着する偏光眼鏡の右目用調光部材および左目用調光部材として、単に偏光板を設けたものとすればよいが、３Ｄ映像表示部として、帯状の位相機能を有する右目用映像表示部と、位相差機能を有しない左目用映像表示部とを交互に並設したものを、映像表示部の前に配置する必要がある。
【０００７】
また、特許文献２に記載の液晶表示装置は、切り替わる映像と同期する光シャッター眼鏡が必要であるため、眼鏡に電池などの電源が必要であり、光シャッター眼鏡をぞんざいに扱うと故障してしまうおそれがある。
【０００８】
ＬＥＤがドットマトリクス状に配置されたＬＥＤディスプレイ装置は、駅前や施設などの屋外に設置され、大勢の通行人が観察するものであるため、ＬＥＤディスプレイ装置の前方の広い範囲で観察される。従って、偏光板を用いた方法や光シャッターを用いた方法では、立体視できる範囲が限定される。
【０００９】
そこで本発明は、広い範囲の観察者に立体視観察させることが可能なＬＥＤディスプレイ装置および立体視用眼鏡を提供することを目的とする。
【課題を解決するための手段】
【００１０】
本発明は、ＬＥＤの駆動電流を変えることで波長シフトさせて、右目用の画像と左目用の画像とを異なる発光波長により表示するＬＥＤディスプレイ装置と、波長シフトする前の第１の波長または波長シフトさせた後の第２の波長のいずれかを透過するフィルタを右目用または左目用の調光部材とした立体視用眼鏡とを備えたことを特徴とする。
【発明の効果】
【００１１】
本発明は、ＬＥＤパネル部の前に特別に偏光板などを設ける必要がなく、また波長シフトした画像は広い範囲からでも観察することができるので、広い範囲の観察者に立体視観察させることが可能である。また、立体視用眼鏡として電源などを必要としないため、ぞんざいに扱っても故障することがない。
【図面の簡単な説明】
【００１２】
【図１】本発明の実施の形態１に係るＬＥＤディスプレイ装置および立体視用眼鏡を示す斜視図
【図２】図１に示すＬＥＤディスプレイ装置の構成を示すブロック図
【図３】図１に示すＬＥＤディスプレイ装置のＬＥＤパネル部を示す一部拡大正面図
【図４】図３に示すＬＥＤパネル部の一部拡大断面図
【図５】図１に示す立体視用眼鏡を説明するための図
【図６】ＬＥＤディスプレイ装置の波長シフトと立体視用眼鏡のフィルタ特性を説明するための発光波長と発光強度との関係を示すグラフ
【図７】表示データと制御信号のタイミングを示すチャート図
【図８】１フレームのタイミングと第１の電流値データおよび第２の電流値データの期間を説明するための図
【図９】赤色ＬＥＤ、緑色ＬＥＤ、青色ＬＥＤの駆動電流を０．８ｍＡから９．６ｍＡまで０．８ｍＡのステップで変化させたときの波長変化を示すグラフ
【図１０】本発明の実施の形態２に係るＬＥＤディスプレイ装置の構成を示すブロック図
【図１１】本発明の実施の形態３に係るＬＥＤディスプレイ装置の構成を示すブロック図
【図１２】本発明の実施の形態４に係るＬＥＤディスプレイ装置の構成を示すブロック図
【発明を実施するための形態】
【００１３】
本願の第１の発明は、ドットマトリクス状にＬＥＤが配置されたＬＥＤパネル部と、ＬＥＤパネル部に表示される右目用の表示データと左目用の表示データの各フレームを示すタイミング信号に基づいて、ＬＥＤパネル部を点灯させるための電流値を、右目用の第１の電流値データおよび左目用の第２の電流値データとして出力する電流値指示部と、電流値指示部からの右目用の第１の電流値データに基づいた電流値でＬＥＤパネル部のＬＥＤを点灯して第１の波長をピーク波長とする右目用の表示データの画像を表示すると共に、左目用の第２の電流値データに基づいた電流値でＬＥＤパネル部のＬＥＤを点灯して第２の波長をピーク波長とした左目用の表示データの画像を表示するＬＥＤ駆動部とを備えたことを特徴としたＬＥＤディスプレイ装置である。
【００１４】
第１の発明によれば、電流値指示部がＬＥＤパネル部に表示される右目用の表示データと左目用の表示データの各フレームを示すタイミング信号に基づいて、第１の電流値データと第２の電流値データとを出力する。ＬＥＤ駆動部が、この第１の電流値データと第２の電流値データとに基づいてＬＥＤパネル部のＬＥＤを点灯させることで、ＬＥＤパネル部は第１の波長をピーク波長とする画像が右目用として、第２の波長をピーク波長とする画像が左目用として表示される。ＬＥＤは駆動電流が変わると発光の波長がシフトすることが知られている。この波長シフトにより、右目用と左目用とで、波長が異なる画像が表示される。従って、右目用の画像と左目用の画像とを、電流値を変えて表示しているだけなので、ＬＥＤパネル部の前に特別に偏光板などを設ける必要がない。また、波長シフトした画像は広い範囲からでも観察することができる。
【００１５】
本願の第２の発明は、第１の発明において、ＬＥＤパネル部は、赤色、緑色、青色の三色のＬＥＤを一組として、ドットマトリクス状に配置されたものであり、電流値指示部は、三色のＬＥＤのそれぞれの駆動電流に基づいて、右目用の第１の電流値データと、左目用の第２の電流値データをＬＥＤ駆動部へ出力することを特徴としたＬＥＤディスプレイ装置である。
【００１６】
第２の発明によれば、ＬＥＤパネル部を、赤色、緑色、青色の三色のＬＥＤを一組として、ドットマトリクス状に配置したものとすることで、カラー表示させることができる。
【００１７】
本願の第３の発明は、第１または２の発明において、ＬＥＤ駆動部は、右目用の第１の電流値データと、左目用の第２の電流値データとのうちいずれか高い方を駆動するときに、低い方の発光強度に合わせて表示データを表示させる点灯率を低減させて、ＬＥＤパネル部のＬＥＤを点灯させることを特徴としたＬＥＤディスプレイ装置である。
【００１８】
第３の発明によれば、高い方の駆動電流によるＬＥＤの発光強度を低減させて、低い方の駆動電流によるＬＥＤの発光強度に合わせることができるので、画像全体の明るさを右目用と左目用とで合わせることができる。従って、違和感が発生することを抑止することができる。
【００１９】
本願の第４の発明は、ピーク波長が第１の波長となる右目用のＬＥＤと、ピーク波長が第２の波長となる左目用のＬＥＤとが、ドットマトリクス状に配置されたＬＥＤパネル部と、ＬＥＤパネル部に表示される右目用の表示データと左目用の表示データの各フレームを示すタイミング信号に基づいて、右目用または左目用のいずれかのＬＥＤの点灯を指示する点灯指示部と、点灯指示部からの指示に基づいて右目用のＬＥＤを点灯させたり、左目用のＬＥＤを点灯させたりするＬＥＤ駆動部とを備えたことを特徴としたＬＥＤディスプレイ装置である。
【００２０】
第４の発明によれば、点灯指示部がＬＥＤパネル部に表示される右目用の表示データと左目用の表示データの各フレームを示すタイミング信号に基づいて、右目用または左目用のいずれかのＬＥＤの点灯を指示する。ＬＥＤ駆動部が、この指示に基づいてＬＥＤパネル部のピーク波長が第１の波長となる右目用のＬＥＤを点灯させたり、ピーク波長が第２の波長となる左目用のＬＥＤを点灯させたりする。そうすることで右目用と左目用とで、波長が異なる画像が表示される。従って、右目用の画像と左目用の画像とを、異なるピーク波長を有するＬＥＤを準備してＬＥＤパネル部とし、それぞれ別々に点灯させるだけなので、ＬＥＤパネル部の前に特別に偏光板などを設ける必要がない。また、波長シフトした画像は広い範囲からでも観察することができる。
【００２１】
本願の第５の発明は、第４の発明において、ＬＥＤパネル部は、右目用の赤色、緑色、青色の三色のＬＥＤと、左目用の赤色、緑色、青色の三色のＬＥＤとを一組として、ドットマトリクス状に配置されたものであり、点灯指示部は、右目用または左目用の三色のＬＥＤを駆動する指示を交互にＬＥＤ駆動部へ出力することを特徴としたＬＥＤディスプレイ装置である。
【００２２】
第５の発明によれば、ＬＥＤパネル部を、右目用の赤色、緑色、青色の三色のＬＥＤと、左目用の赤色、緑色、青色の三色のＬＥＤとを一組として、ドットマトリクス状に配置したものとすることで、カラー表示させることができる。
【００２３】
本願の第６の発明は、赤色、緑色および青色のＬＥＤのうちの１色のＬＥＤが、ピーク波長が第１の波長となる右目用の第１のＬＥＤと、ピーク波長が第２の波長となる左目用の第２のＬＥＤとにより構成され、残りの２色のＬＥＤが、第１の電流値で駆動されることでピーク波長が第１の波長となり、第２の電流値で駆動されることでピーク波長が第２の波長となる第３および４のＬＥＤにより構成されたＬＥＤパネル部と、ＬＥＤパネル部に表示される右目用の表示データと左目用の表示データの各フレームを示すタイミング信号に基づいて、第１のＬＥＤまたは左目用のいずれかのＬＥＤの点灯を指示する点灯指示部と、点灯指示部からの指示に基づいて右目用の第１のＬＥＤを点灯させたり、左目用の第２のＬＥＤを点灯させたりする第１のＬＥＤ駆動部と、タイミング信号に基づいて、ＬＥＤパネル部を点灯させるための電流値を、右目用の第１の電流値データおよび左目用の第２の電流値データとして出力する電流値指示部と、電流値指示部からの右目用の第１の電流値データに基づいた電流値で第３および第４のＬＥＤを点灯させて第１の波長をピーク波長とする右目用の表示データの画像を表示すると共に、左目用の第２の電流値データに基づいた電流値で第３および第４のＬＥＤを点灯させて第２の波長をピーク波長とした左目用の表示データの画像を表示する第２のＬＥＤ駆動部とを備えたことを特徴としたＬＥＤディスプレイ装置である。
【００２４】
第６の発明は、第１の発明のＬＥＤディスプレイ装置と第３の発明のＬＥＤディスプレイ装置の複合タイプである。カラー表示を行うための３色のＬＥＤのうち１色を第１および第２のＬＥＤにより構成して、第１のＬＥＤをピーク波長が第１の波長となる右目用とし、第２のＬＥＤをピーク波長が第２の波長となる左目用とする。そして、この第１および第２のＬＥＤを、点灯指示部がタイミング信号に基づいて、第１のＬＥＤまたは第２のＬＥＤのいずれかのＬＥＤの点灯を指示する。ＬＥＤ駆動部が、この指示に基づいてピーク波長が第１の波長となる右目用の第１のＬＥＤを点灯させたり、ピーク波長が第２の波長となる左目用の第２のＬＥＤを点灯させたりする。また、カラー表示を行うための３色のＬＥＤのうち残りの２色を第３および第４のＬＥＤにより構成する。電流値指示部がタイミング信号に基づいて、第１の電流値データと第２の電流値データとを出力する。ＬＥＤ駆動部が、この第１の電流値データと第２の電流値データとに基づいて第３および第４のＬＥＤを点灯させることで、第３および第４のＬＥＤは第１の波長をピーク波長とする画像が右目用として、第２の波長をピーク波長とする画像が左目用として表示される。このように、第１の波長にて発光する第１のＬＥＤ、第１の電流値によって第１の波長にて発光する第３および第４のＬＥＤと、第２の波長にて発光する第２のＬＥＤ、第２の電流値によって第２の波長にて発光する第３および第４のＬＥＤとにより、右目用と左目用とで、波長が異なる画像が表示される。従って、右目用の画像と左目用の画像とを表示することができる。従って、ＬＥＤパネル部の前に特別に偏光板などを設ける必要がない。また、右目用の画像と左目用の画像とは波長が異なるだけなので、画像は広い範囲からでも観察することができる。
【００２５】
本願の第７の発明は、ＬＥＤディスプレイ装置に設けられたＬＥＤパネル部のドットマトリクス状に配置されたＬＥＤに表示される画像を観察するために、右目用および左目用の調光部材を備えた立体視用眼鏡であって、ＬＥＤからの第１の波長をピーク波長とする画像を透過する第１のフィルタを一方の調光部材とし、第１の波長から波長シフトした第２の波長をピーク波長とする画像を透過する第２のフィルタを他方の調光部材としたことを特徴とした立体視用眼鏡である。
【００２６】
第７の発明によれば、右目用および左目用の調光部材として、いずれか一方を第１の波長を透過する第１のフィルタとし、他方を第２の波長を透過する第２のフィルタとすることで、右目と左目とで異なる画像を観察させることができるので、観察者が立体視用の表示データを観察することで立体視を視認することができる。従って、立体視用眼鏡として電源などを必要としないため、ぞんざいに扱っても故障することがない。
【００２７】
本願の第８の発明は、第５の発明において、第１のフィルタは、ＬＥＤパネル部に設けられた赤色、緑色および青色の三色のＬＥＤからのそれぞれの第１の波長を透過する赤色用フィルタ、緑色用フィルタおよび青色用フィルタを備え、第２のフィルタは、赤色、緑色および青色の三色のＬＥＤからのそれぞれの第２の波長を透過する赤色用フィルタ、緑色用フィルタおよび青色用フィルタを備えたことを特徴とした立体視用眼鏡である。
【００２８】
第８の発明によれば、第１のフィルタおよび第２のフィルタとして、赤色用、緑色用、青色用をそれぞれに備えることで、カラー表示させた画像を、立体視することができる。
【００２９】
（実施の形態１）
本発明の実施の形態１に係るＬＥＤディスプレイ装置と立体視用眼鏡を図面に基づいて説明する。まず、ＬＥＤディスプレイ装置について、図１から図４に基づいて説明する。
【００３０】
図１に示すように、ＬＥＤディスプレイ装置１０は、施設や街角などの屋外に設置される大型映像表示装置である。ＬＥＤディスプレイ装置１０は、映像出力装置（図示せず）からの表示データに基づいて表示され、立体視用眼鏡２０を装着した通行人（図示せず）などが観察者となって映像が観察される。
【００３１】
図２に示すように、ＬＥＤディスプレイ装置１０は、ＬＥＤパネル部１１と、電流値指示部１２と、ＬＥＤ駆動部１３とを備えている。
【００３２】
図３および図４に示すように、ＬＥＤパネル部１１は、赤色、緑色、青色の三色のＬＥＤを一組として、縦列および横列にドットマトリクス状に配置され、表示データが表示されることで画像表示パネルとして機能するものである。ＬＥＤパネル部１１は、点光源として機能する複数のＬＥＤ１１１を搭載した回路基板１１２と、ＬＥＤ１１１を覗かせる貫通孔が設けられた前面パネル１１３とを備えている。
【００３３】
回路基板１１２は、樹脂製の絶縁基板に、金属薄膜による配線パターンが形成されたプリント配線基板である。前面パネル１１３は、表面が艶消し処理された黒色の樹脂製板体である。ＬＥＤ１１１は、２個の赤色ＬＥＤ１１１Ｒと、１個ずつの緑色ＬＥＤ１１１Ｇおよび青色ＬＥＤ１１１Ｂとを一組として、縦列および横列に回路基板１１２に配置されている。前面パネル１１３には、縦方向に一定間隔をおいてフード１１４が設けられている。フード１１４は、幅方向の全長に亘って形成されている。本実施の形態１では、フード１１４がＬＥＤ１１１と縦方向に交互に配置されている。
【００３４】
図２に戻って、電流値指示部１２は、ＬＥＤパネル部１１に表示される右目用の表示データと左目用の表示データの各フレームを示すタイミング信号に基づいて、ＬＥＤパネル部１１を点灯させるための電流値ＡとＢを、それぞれ赤色用、緑色用、青色用について、右目用の第１の電流値データおよび左目用の第２の電流値データとして出力して、ＬＥＤ駆動部１３に指示する機能を備えている。
【００３５】
つまり、電流値指示部１２は、右目用の表示データの赤色データのときには、赤色用の第１の電流値データを出力する。同様に、緑色データのときには、緑色用の第１の電流値データを出力する。更に、青色データのときには、青色用の第１の電流値データを出力する。また、電流値指示部１２は、左目用の表示データの赤色データのときには、赤色用の第２の電流値データを出力する。同様に、緑色データのときには、緑色用の第２の電流値データを出力する。更に、青色データのときには、青色用の第２の電流値データを出力する。
【００３６】
本実施の形態１では、フレームを示すタイミング信号を垂直同期信号（Ｖｓｙｎｃ信号）としている。
【００３７】
ＬＥＤ駆動部１３は、電流値指示部１２からの右目用の第１の電流値データに基づいた電流値でＬＥＤパネル部１１のＬＥＤ１１１を点灯させて第１の波長をピーク波長とする右目用の表示データの画像を表示すると共に、左目用の第２の電流値データに基づいた電流値でＬＥＤパネル部１１のＬＥＤ１１１を点灯させて第２の波長をピーク波長とした左目用の表示データの画像を表示する機能を備えている。
【００３８】
次に、立体視用眼鏡２０について、図５および図６に基づいて説明する。図５に示すように、立体視用眼鏡２０は、テンプル２１の先部にヒンジ２２を介して取り付けられた枠体であるリム２３に、右目用の調光部材２０１と左目用の調光部材２０２とが設けられている。
【００３９】
この右目用の調光部材２０１と左目用の調光部材２０２とは、特定の波長のみを透過するフィルタである。ここで、右目用の調光部材２０１と左目用の調光部材２０２とについて、詳細に説明する。
【００４０】
右目用の調光部材２０１は、ＬＥＤパネル部１１からの赤色ＬＥＤ、緑色ＬＥＤ、青色ＬＥＤのそれぞれが発光する第１の波長の光を透過する第１のフィルタとして機能するものである。
【００４１】
左目用の調光部材２０２は、ＬＥＤパネル部１１からの赤色ＬＥＤ、緑色ＬＥＤ、青色ＬＥＤのそれぞれが発光する第１の波長から波長シフトした第２の波長の光を透過する第２のフィルタとして機能するものである。
【００４２】
例えば、図６に示すように、右目用の調光部材２０１の赤色ＬＥＤ用フィルタ２０１ａは、６１３．５ｎｍから６１４．５ｎｍまでを透過して、他の波長は遮蔽する。緑色ＬＥＤ用フィルタ２０１ｂは、５３１ｎｍから５３２ｎｍまでを透過して、他の波長は遮蔽する。青色ＬＥＤ用フィルタ２０１ｃは、４６４ｎｍから４６５ｎｍまでを透過して、他の波長は遮蔽する。
【００４３】
そして、左目用の調光部材２０２の赤色ＬＥＤ用フィルタ２０２ａは、６１４．５ｎｍから６１５．５ｎｍまでを透過して、他の波長は遮蔽する。緑色ＬＥＤ用フィルタ２０２ｂは、５３２ｎｍから５３３ｎｍまでを透過して、他の波長は遮蔽する。青色ＬＥＤ用フィルタ２０２ｃは、４６５ｎｍから４６６ｎｍまでを透過して、他の波長は遮蔽する。
【００４４】
このような右目用の調光部材２０１と左目用の調光部材２０２とは、同じ面積の正方形状に形成された赤色ＬＥＤ用フィルタ２０１ａ，２０２ａおよび緑色ＬＥＤ用フィルタ２０１ｂ，２０２ｂと，赤色ＬＥＤ用フィルタ２０１ａ，２０２ａと緑色ＬＥＤ用フィルタ２０１ｂ，２０２ｂとを合わせた面積の長方形状に形成された青色ＬＥＤ用フィルタ２０１ｃ，２０２ｃとを一組として、マトリクス状に配置されている（図５参照）。
【００４５】
以上のように構成された本発明の実施の形態１に係るＬＥＤディスプレイ装置１０の動作および立体視用眼鏡２０の使用状態について、図面に基づいて説明する。
【００４６】
ＬＥＤディスプレイ装置１０は、映像出力装置（図示せず）からの表示データを入力する。３色の表示データは、図７に示すように、クロック（ＣＬＫ）信号（図示せず）、垂直同期（Ｖｓｙｎｃ）信号、水平同期（Ｈｓｙｎｃ）信号と共に、ＲＧＢデータとして映像出力装置から送信される。
【００４７】
電流値指示部１２は、図８に示すように、Ｖｓｙｎｃ信号に基づいて交互に送信される１フレーム分の右目用表示データと左目用表示データの期間に合わせて、第１の電流値と第２の電流値とを交互にＬＥＤ駆動部１３へ出力する。
【００４８】
ＬＥＤ駆動部１３は、電流値指示部１２からの電流値データに基づいてＬＥＤパネル部１１に電流を流す。
【００４９】
ここで、電流値指示部１２がＬＥＤ駆動部１３に指示する第１の電流値データと第２の電流値データについて、図９に基づいて説明する。図９は、赤色ＬＥＤ１１１Ｒ、緑色ＬＥＤ１１１Ｇ、青色ＬＥＤ１１１Ｂの駆動電流を０．８ｍＡから９．６ｍＡまで０．８ｍＡのステップで変化させたときの波長変化を示すグラフで、ＣＩＥｘｙ色度図を拡大したものである。
【００５０】
図９に示すように、駆動電流を０．８ｍＡから９．６ｍＡまで変化させると、赤色ＬＥＤ１１１Ｒの場合は、発光波長が６１４ｎｍから６１５ｎｍまで波長シフトする。緑色ＬＥＤ１１１Ｇの場合は、発光波長が５２９ｎｍから５３６ｎｍまで波長シフトする。青色ＬＥＤ１１１Ｂの場合は、発光波長が４６３ｎｍから４６６ｎｍまで波長シフトする。この波長シフト内で、駆動電流を選択することができる。
【００５１】
この駆動電流を変更することによる波長シフトを利用して、右目用表示データと左目用表示データを表示するときの波長を変更する。
【００５２】
具体的には、ＬＥＤ駆動部１３が右目用表示データを表示するときには、駆動電流を０．５ｍＡ（第１の電流値）とすることを示すデータを第１の電流値データとして電流値指示部１２がＬＥＤ駆動部１３に指示する。そうすることで、ＬＥＤパネル部１１の赤色ＬＥＤ１１１Ｒが右目用の調光部材２０１の赤色ＬＥＤ用フィルタ２０１ａが透過する第１の波長である６１４ｎｍで発光する。
【００５３】
また、ＬＥＤ駆動部１３が左目用表示データを表示するときには、駆動電流を９．６ｍＡ（第２の電流値）とすることを示すデータを第２の電流値データとして電流値指示部１２がＬＥＤ駆動部１３に指示する。そうすることで、ＬＥＤパネル部１１の赤色ＬＥＤ１１１Ｒが左目用の調光部材２０２の赤色ＬＥＤ用フィルタ２０２ａが透過する第２の波長である６１５ｎｍで発光する。
【００５４】
赤色以外の緑色、青色の場合も同様に、電流値指示部１２が右目用表示データを表示するときにはＬＥＤ駆動部１３へ第１の電流値データを出力し、左目用表示データを表示するときにはＬＥＤ駆動部１３へ第２の電流値データを出力する。
【００５５】
このようにして、ＬＥＤディスプレイ装置１０は、右目用の画像と左目用の画像とで、異なる波長の表示を行うことができる。
【００５６】
観察者がこの立体視用眼鏡２０を装着してＬＥＤディスプレイ装置１０を観察すると、ＬＥＤディスプレイ装置１０が右目用データを表示している場合では、右目用データによる画像が、図６に示す発光波長（実線で示す）で表示されるため、右目用の調光部材２０１を透過するが、左目用の調光部材２０２は透過できない。
【００５７】
次に、ＬＥＤディスプレイ装置１０が左目用データを表示している場合では、左目用データによる画像が、図６に示す発光波長（一点鎖線で示す）で表示されるため、左目用の調光部材２０２を透過するが、右目用の調光部材２０１は透過できない。
【００５８】
従って、観察者の目には、右目用データによる画像は右目のみに認識され、左目用データによる画像は左目のみに認識されるので、ＬＥＤディスプレイ装置１０による画像を立体視することができる。
【００５９】
このように、ＬＥＤディスプレイ装置１０は、立体視するための右目用の画像と左目用の画像とを、電流値を変えるだけで表示しているだけなので、ＬＥＤパネル部１１の前に特別に偏光板などを設ける必要がない。また、波長シフトした画像は広い範囲からでも観察することができる。従って、コストの増大を抑えつつ、広い範囲の観察者に立体視観察させることが可能である。
【００６０】
また、立体視用眼鏡２０は、フィルタのみで構成されているため、立体視用眼鏡として電源などを必要としない。従って、立体視用眼鏡２０をぞんざいに扱っても故障することがない。
【００６１】
以上のように、本発明の実施の形態１に係るＬＥＤディスプレイ装置１０および立体視用眼鏡２０によれば、簡易な構成で、立体視できるカラー画像を楽しむことができる。
【００６２】
なお、本実施の形態１では、第１の電流値が高い電流、第２の電流値が第１の電流値より低い電流とすることで、第１の波長が短波長、第２の波長は第１の波長より長い波長としているが、逆であってもよい。
【００６３】
また、赤色、緑色、青色の各色について、右目用表示データから左目用表示データへ切り替えるときに一様に電流値を落としているが、立体視用眼鏡の調光部材の透過波長をそれぞれの波長に合わせていれば、電流値の変更は上げる色と下げる色とを組み合わせてもよい。
【００６４】
更に、本実施の形態では、カラー画像としたが、単色ＬＥＤ、例えば、赤色、緑色、青色、ＬＥＤと蛍光体との組み合わせによる白色または他の色とすることも可能である。この場合でも、立体視用眼鏡の調光部材の透過波長を波長シフトに合わせればよい。
【００６５】
（実施の形態２）
本発明の実施の形態２に係るＬＥＤディスプレイ装置を図面に基づいて説明する。
【００６６】
図１０に示すように、ＬＥＤディスプレイ装置３０は、ＬＥＤパネル部３１と、点灯指示部３２と、ＬＥＤ駆動部３３とを備えている。
【００６７】
ＬＥＤパネル部３１は、基本的には図３および図４に基づいて説明したものと同じである。しかし、実施の形態２に係るＬＥＤパネル部３１は、第１の波長を発光する３色のＬＥＤが右目用のＬＥＤ１２１と、第２の波長を発光する左目用のＬＥＤ１２２とが別々に設けられている。
【００６８】
例えば、右目用として、赤色のＬＥＤは、ピーク波長が６１３．５ｎｍから６１４．５ｎｍまでの範囲のものである。緑色のＬＥＤは、ピーク波長が５３１ｎｍから５３２ｎｍまでの範囲のものである。青色のＬＥＤは、ピーク波長が４６４ｎｍから４６５ｎｍまでの範囲である。
【００６９】
また、左目用として、赤色のＬＥＤは、ピーク波長が６１４．５ｎｍから６１５．５ｎｍまでの範囲のものである。緑色のＬＥＤは、ピーク波長が５３２ｎｍから５３３ｎｍまでの範囲のものである。青色のＬＥＤは、ピーク波長が４６５ｎｍから４６６ｎｍまでの範囲のものである。
【００７０】
ＬＥＤパネル部３１は、この右目用の３色のＬＥＤを右目用の１ドット、左目用の３色のＬＥＤを左目用の１ドットとして隣接させて並べ、ドットマトリクス状に配置している。この異なるピーク波長を有するそれぞれのＬＥＤは、数多くのＬＥＤの中から所定の発光波長範囲に含まれるものを選別することで準備することができる。
【００７１】
点灯指示部３２は、ＬＥＤパネル部３１に表示される右目用の表示データと左目用の表示データの各フレームを示すタイミング信号に基づいて、ＬＥＤパネル部３１を点灯させるためのタイミングを、それぞれ赤色用、緑色用、青色用について出力して、ＬＥＤ駆動部３３に指示する機能を備えている。本実施の形態２においてもフレームを示すタイミング信号を垂直同期信号（Ｖｓｙｎｃ信号）としている。
【００７２】
ＬＥＤ駆動部３３は、点灯指示部３２からの指示に基づいて右目用のＬＥＤ１２１を点灯させたり、左目用のＬＥＤ１２２を点灯させたりする。
【００７３】
以上のように構成された本発明の実施の形態２に係るＬＥＤディスプレイ装置３０の動作について、図面に基づいて説明する。
【００７４】
ＬＥＤディスプレイ装置３０は、映像出力装置（図示せず）からの表示データを入力する。３色の表示データは、図７に示すように、クロック（ＣＬＫ）信号（図示せず）、垂直同期（Ｖｓｙｎｃ）信号、水平同期（Ｈｓｙｎｃ）信号と共に、ＲＧＢデータとして映像出力装置から送信される。この点は実施の形態１と同じである。
【００７５】
点灯指示部３２は、Ｖｓｙｎｃ信号に基づいて交互に送信される１フレーム分の右目用表示データと左目用表示データの期間に合わせて、右目用のＬＥＤ１２１の点灯と左目用のＬＥＤ１２２の点灯とを交互にＬＥＤ駆動部３３へ出力する。
【００７６】
ＬＥＤ駆動部３３は、点灯指示部３２からの指示に基づいてＬＥＤパネル部３１の右目用のＬＥＤ１２１の点灯と左目用のＬＥＤ１２２の点灯とに交互に同じ電流値で電流を流す。
【００７７】
このようにＬＥＤパネル部３１が点灯することで、右目用の画像と左目用の画像とで、異なる波長の表示を行うことができるので、この画像を、図５に示す立体視用眼鏡２０により観察することで、実施の形態１と同様に観察者は画像を立体視することができる。
【００７８】
このように、ＬＥＤ駆動部３３により駆動される電流が同じであっても、異なる２つの波長で発光する２種類のＬＥＤを右目用または左目用として備えることで、確実に２種類の波長で発光させることができる。
【００７９】
（実施の形態３）
本発明の実施の形態３に係るＬＥＤディスプレイ装置を図面に基づいて説明する。なお、図１１においては、図２，図３および図１０と同じ構成のものは同符号を付して説明を省略する。
【００８０】
図１１に示すように、ＬＥＤディスプレイ装置４０は、ＬＥＤパネル部４１と、電流値指示部１２と、第１のＬＥＤ駆動部１３ｘと、点灯指示部３２と、第２のＬＥＤ駆動部３３ｘとを備えている。
【００８１】
ＬＥＤパネル部４１は、基本的には図３および図４に基づいて説明したものと同じである。しかし、実施の形態３に係るＬＥＤパネル部４１は、２個ある赤色ＬＥＤ１１１Ｒのうちの一方のＬＥＤが第１の波長を発光する右目用の赤色ＬＥＤ１１１Ｒrであり、他方のＬＥＤが第２の波長を発光する左目用の赤色ＬＥＤ１１１ＲLである。
【００８２】
この右目用の赤色ＬＥＤ１１１Ｒrは、ピーク波長が６１３．５ｎｍから６１４．５ｎｍまでの範囲のものを採用することができる。また、左目用の赤色ＬＥＤ１１１ＲLは、ピーク波長が６１４．５ｎｍから６１５．５ｎｍまでの範囲のものを採用することができる。
【００８３】
この２個の赤色ＬＥＤ１１１Ｒは、点灯指示部３２によりフレームを示すタイミング信号（Ｖｓｙｎｃ信号）に基づいて点灯させるためのタイミングが第２のＬＥＤ駆動部３３ｘに指示され、ＬＥＤ駆動部３３により右目用および左目用の表示データに基づいてそれぞれが駆動される。
【００８４】
また、ＬＥＤパネル部４１の緑色ＬＥＤ１１１Ｇと青色ＬＥＤ１１１Ｂとは、右目用として第１の電流値で駆動されると第１の波長を発光し、左目用として第２の電流値で駆動されると第２の波長を発光する。
【００８５】
この緑色ＬＥＤ１１１Ｇは、第１の波長のピーク波長が５３１ｎｍから５３２ｎｍまでの範囲であり、第２の波長のピーク波長が５３１ｎｍから５３２ｎｍまでの範囲となるものが採用できる。更に、青色ＬＥＤ１１１Ｂは、第１の波長のピーク波長が４６４ｎｍから４６５ｎｍまでの範囲であり、第２の波長のピーク波長が４６５ｎｍから４６６ｎｍまでの範囲のものが採用できる。
【００８６】
緑色ＬＥＤ１１１Ｇおよび青色ＬＥＤ１１１Ｂは、電流値指示部１２が、表示データの各フレームを示すタイミング信号に基づいて、右目用の第１の電流値データおよび左目用の第２の電流値データとして第１のＬＥＤ駆動部１３ｘへ出力し、第１のＬＥＤ駆動部１３ｘによりこの第１の電流値データおよび第２の電流値データに基づいて点灯させるための電流が駆動される。
【００８７】
緑色ＬＥＤ１１１Ｇおよび青色ＬＥＤ１１１Ｂは、第１の電流値データに基づいて電流が駆動されたときには、右目用の表示データが第１の波長で発光し、第２の電流値データに基づいて電流が駆動されたときには、左目用の表示データが第２の波長で発光する。
【００８８】
このように本実施の形態３に係るＬＥＤディスプレイ装置４０では、赤色は、右目用と左目用とで、第１の波長と第２の波長とで発光する赤色ＬＥＤ１１１Ｒが切り替わり、緑色および青色は、電流値による波長シフトで第１の波長と第２の波長とが切り替わるように構成されている。
【００８９】
このようにしてＬＥＤパネル部４１が点灯することで、右目用の画像と左目用の画像とで、異なる波長の表示を行うことができるので、この画像を、図５に示す立体視用眼鏡２０により観察することで、実施の形態１，２と同様に観察者は画像を立体視することができる。
【００９０】
また、実施の形態１のＬＥＤパネル部１１をそのまま使用することができるので、実施の形態２のＬＥＤパネル部３１と比較してコストを抑えることができる。
【００９１】
なお、本実施の形態３では、赤色ＬＥＤ１１１Ｒを２個設け、緑色ＬＥＤ１１１Ｇと青色ＬＥＤ１１１Ｂとを１個ずつ設けていたが、緑色ＬＥＤ１１１Ｇを異なるピーク波長を有する２個のＬＥＤとし、赤色ＬＥＤ１１１Ｒと青色ＬＥＤ１１１Ｂとを電流値により波長を切り替えるようにしてもよい。更に、青色ＬＥＤ１１１Ｂを異なるピーク波長を有する２個のＬＥＤとし、赤色ＬＥＤ１１１Ｒと緑色ＬＥＤ１１１Ｇとを電流値により波長を切り替えるようにしてもよい。
【００９２】
（実施の形態４）
本発明の実施の形態４に係るＬＥＤディスプレイ装置を図面に基づいて説明する。本実施の形態４に係るＬＥＤディスプレイ装置では、ＬＥＤ駆動部が駆動する右目用と左目用のＬＥＤに対する電流による発光強度の差を、階調により抑えることを特徴とするものである。なお、図１２においては、図２と同じ構成のものは同符号を付して説明を省略する。
【００９３】
図１２に示すＬＥＤディスプレイ装置１０ｐのＬＥＤ駆動部１３ｐは、ＬＥＤパネル部１１を駆動する際に、駆動電流に応じて階調を調整する機能を備えている。
【００９４】
例えば、右目用表示データを表示するときには赤色ＬＥＤ１１１Ｒの駆動電流が０．５ｍＡ（第１の電流値）であるのに対して、左目用表示データを表示するときには赤色ＬＥＤ１１１Ｒの駆動電流が９．６ｍＡ（第２の電流値）である。従って、左目用に表示しているときの発光強度が高くなるので、画像全体の明るさに差ができる。そこで、左目用表示データを表示するときに、ＬＥＤ駆動部１３ｐは、左目用表示データを表示するときより点灯率を一律に低くする補正を行う。つまり、映像出力装置（図示せず）からの表示データに含まれる階調を示す階調データに補正のための点灯率を乗算して表示のための補正階調データを生成する。
【００９５】
そして、この補正階調データに基づいてＬＥＤ１１１をＰＷＭ（Ｐｕｌｓｅ  Ｗｉｄｔｈ  Ｍｏｄｕｌａｔｉｏｎ）により駆動することで、第１の電流値または第２の電流値のいずれか高い方の駆動電流によるＬＥＤの発光強度を低減させて、低い方の駆動電流によるＬＥＤの発光強度に合わせることができる。従って、画像全体の明るさを右目用と左目用とで合わせることができるので、違和感が発生することを抑止することができる。
【産業上の利用可能性】
【００９６】
本発明は、広い範囲の観察者に立体視観察させることが可能なので、ＬＥＤがドットマトリクス状に配置され、右目用の画像と左目用の画像とを交互に表示するＬＥＤディスプレイ装置と、この映像を右目用の調光部材と左目用の調光部材を通して観察することで立体視できる立体視用眼鏡とに好適である。
【符号の説明】
【００９７】
１０，３０，４０，１０ｐ  ＬＥＤディスプレイ装置
１１，３１，４１  ＬＥＤパネル部
１２  電流値指示部
１３，３３，１３ｐ  ＬＥＤ駆動部
１３ｘ  第１のＬＥＤ駆動部
２０  立体視用眼鏡
２１  テンプル
２２  ヒンジ
２３  リム
３２  点灯指示部
３３ｘ  第２のＬＥＤ駆動部
１１１  ＬＥＤ
１１１Ｒ  赤色ＬＥＤ
１１１Ｒr  右目用の赤色ＬＥＤ
１１１ＲL  左目用の赤色ＬＥＤ
１１１Ｇ  緑色ＬＥＤ
１１１Ｂ  青色ＬＥＤ
１１２  回路基板
１１３  前面パネル
１１４  フード
１２１  右目用のＬＥＤ
１２２  左目用のＬＥＤ
２０１  右目用の調光部材
２０１ａ  赤色ＬＥＤ用フィルタ
２０１ｂ  緑色ＬＥＤ用フィルタ
２０１ｃ  青色ＬＥＤ用フィルタ
２０２  左目用の調光部材
２０２ａ  赤色ＬＥＤ用フィルタ
２０２ｂ  緑色ＬＥＤ用フィルタ
２０２ｃ  青色ＬＥＤ用フィルタ
【図１】
2012145725.tif 000003
【図２】
2012145725.tif 000004
【図３】
2012145725.tif 000005
【図４】
2012145725.tif 000006
【図５】
2012145725.tif 000007
【図６】
2012145725.tif 000008
【図７】
2012145725.tif 000009
【図８】
2012145725.tif 000010
【図９】
2012145725.tif 000011
【図１０】
2012145725.tif 000012
【図１１】
2012145725.tif 000013
【図１２】
2012145725.tif 000014